(57)【特許請求の範囲】
【請求項１】
一端と他端を有する回転軸の該一端に、アームとこれに略直角な把持部とからなる固定ハンドルの該アームを、該回転軸と該把持部とが該アームを隔てて平行となるように固定し、該回転軸との間に消防用ホースを短手方向に挟持する巻取り軸を該回転軸に平行となるように併設した巻取り用ハンドル軸体と、
前記巻取り用ハンドル軸体を回転自在に支持する本体と、を備え
前記本体に支持させた前記巻取り用ハンドル軸体に消防用ホースを挟持させて、該巻取り用ハンドル軸体の把持部を回転軸の回りに旋回させることにより、該消防用ホースを長手方向に巻き取る消防ホース巻機において、
前記巻取り用ハンドル軸体は、
前記回転軸の他端に、アームとこれに略直角な把持部とからなる補助ハンドルを、該把持部が該アームを隔てて該回転軸と平行となるように装着可能であり、
前記本体は、
４本の鉛直フレームの各上端を天井部水平フレームの手前端と前方端で２本ずつ左右対称に連結したフレーム本体であり、
前記フレーム本体は、
平行な２枚の第１アーム板と第２アーム板を吊下げ支持板の両端から下方に突出させた逆Ｕ字型で、前記巻取り用ハンドル軸体の回転軸を着脱自在に嵌合するための切欠きを各々第１アーム板と第２アーム板に設けた巻取り制御機を、前記天井部水平フレームから、水平方向に回動自在に懸吊した消防ホース巻機であって、
前記固定ハンドルおよび前記回転軸の他端に装着した前記補助ハンドルを旋回させて消防用ホースを長手方向に手前から前方へ巻き取る際に、前記巻取り制御機を水平方向に回動させることにより、消防用ホースの捩れを解消し得ることを特徴とする消防ホース巻機。
【請求項２】
前記フレーム本体は、
２本の鉛直フレームの上端を上端部横フレームで連結させた２つの同形のフレーム枠Ｌ、フレーム枠Ｒ（以下、「フレーム枠Ｌ、Ｒ」のようにも記載する）を、それぞれの上端部横フレームＬ、Ｒの手前側と前方側に蝶番を取り付けて回動可能に連結させ、
前記天井部水平フレームを前記上端部横フレームＬ、Ｒ及び前記蝶番により構成して、フレーム枠Ｌ、Ｒを左右方向に開閉可能とした、請求項１に記載の消防ホース巻機。
【請求項３】
前記連結フレーム本体の２つの同形のフレーム枠Ｌ、Ｒにおいて、手前側と前方側のそれぞれ２本の鉛直フレームの下方を下方横フレームとで連結させた、請求項２に記載の消防ホース巻機。
【請求項４】
前記鉛直フレームの下端に車輪を設け、前方に進行しながら消防用ホースを長手方向に巻き取り得る、請求項１乃至請求項３のいずれか１項に記載の消防ホース巻機。
【請求項５】
前記巻取り制御機に、前記巻取り用ハンドル軸体の回転軸を嵌合させるための切欠きを設けた、請求項１乃至請求項４のいずれか１項に記載の消防ホース巻機。
【請求項６】
前記補助ハンドルは、前記巻取り用ハンドル軸体の前記回転軸の他端に、着脱自在に装着し得る、請求項１乃至請求項５のいずれか１項に記載の消防ホース巻機。
【請求項７】
前記補助ハンドルは、前記巻取り用ハンドル軸体の前記回転軸の他端に、伸縮自在に接続した、請求項１乃至請求項５のいずれか１項に記載の消防ホース巻機。
【請求項８】
請求項１乃至請求項７のいずれか１項に記載の消防ホース巻機を準備するステップと、
前記巻取り用ハンドル軸体に、展張した消防用ホースを短手方向に挟持させるステップと、
前記展張した消防用ホースの長手方向を前方方向にして、前方の２本の鉛直フレーム間に該消防用ホースが位置されるように前記本体を配置するステップと、
前記展張した消防用ホースに捩れがなければ、前記固定ハンドルおよび前記補助ハンドルを同方向に旋回させて、前記巻取り用ハンドル軸体の周りに消防用ホースを長手方向に巻き取るステップと、
前記展張した消防用ホースが左又は右に１８０度の捩れが有れば、前記巻取り制御機を右又は左方向に水平に１８０度回動させるステップと、
前記巻き取るステップと前記回動させるステップを繰り返して、前記展張した消防用ホースを前記巻取り用ハンドル軸体の周りに巻き取るステップと、
前記巻取り用ハンドル軸体の他端から、前記補助ハンドルを取外すステップと、
前記巻取り用ハンドル軸体から前記巻き上げた消防用ホースを取外すステップと、
を含む、消防ホースの巻取り方法。
【発明の詳細な説明】
【技術分野】
【０００１】
本発明は、消防ホースの曲りや捩れを解消しながらこれを巻き取り得る消防ホース巻機に関する。
【背景技術】
【０００２】
通常、消防ホースは火災現場に向かってスムーズに展張できるように二重巻きにして消防車両に搭載される他、倉庫等に保管、管理される。火災現場で使用され、展張された消防ホースは、消防車両に搭載して持ち帰るために、混乱した火災現場で再び二重巻きに巻き直す必要がある。あるいは防火訓練などで使用された場合も、保管・管理のため巻き直さなければならない。
【０００３】
この消防ホースの巻き直しは容易ではなく、簡易な消防ホース巻機を用いて、「巻き手」と「支え手」の二人で行う場合が多い。通常の重くて長い消防ホースを二重巻きに巻き直すためには、かなりの訓練と経験が必要とされる。また、現実の火事現場では、多くの物が散乱していたり、地形が複雑であったりするなど、訓練時より劣悪な条件下で、消防ホースを巻き直すことが要求される。消火直後の消防ホースは水を含んで重量化し、消火作業中に曲りや捩れが加わり、火事現場での巻取り作業は訓練時とは格段に困難な作業となる。
【０００４】
このように困難な消防ホースの巻き直し作業を容易化するために、多くの消防ホース巻取装置が提案されているが、大掛かりで持ち運び困難なものも多く、これらの大型の消防ホース巻取装置は、混乱した火災現場での消防ホースの巻き直し作業には使用できない。
【０００５】
一方、従来の簡易な消防ホース巻取装置は、例えば特許文献１、２に記載されているように、地面に設置する支持本体に軸心が水平となる円板を回転可能に取付け、この円盤の前面に、円板の回転軸心上に位置して円板の全面から所定長さ突出する回転軸と、回転軸との間に消防用ホースが挟まる間隔を設けた偏心位置に巻取り用ハンドル軸体を平行状態で突設し、前記円板を回転軸の後端に取付けたハンドルで回転させる構造になっている。
【０００６】
このような消防ホース巻装置により消防ホースを巻き取るには、消防ホースの長さ方向の中心部を回転軸と巻取り用ハンドル軸体の間に挿入し、ハンドルで円板を回転させると、回転軸の回りを巻取り用ハンドル軸体が旋回することで、消防ホースの長さ方向の中心部が巻取り用ハンドル軸体で二つ折りとなりながら中心軸の周囲に巻かれていき、消防ホースの両端側が順次引き込まれることでロール状の巻き姿になり、巻き上がった消防ホースは、中心軸と巻取り用ハンドル軸体から抜き取るようにする。
【０００７】
しかし、上述のように、現実の火事現場では、多くの物が散乱していたり、地形が複雑であったりするなど、訓練時より劣悪な条件下で、消防ホースを巻き直すことが要求される。消火直後の消防ホースは水を含んで重量化し、消火作業中に曲りや捩れが加わり、火事現場での巻取り作業は訓練時とは格段に困難な作業となる。従って、従来の簡易な消防ホース巻取装置を用いて巻取りを容易化しても、迅速・確実に二重巻きに巻き直すには、「巻き手」の他に、消防ホースの曲りや捩れを取り除いてホースを直線状に戻す「支え手」を必要とした。ただ、「支え手」を擁しても、消火作業直後の、水を含んで重くなった消防ホースの複雑な曲りや捩れを解消するのは重労働である。
【０００８】
【特許文献１】実用新案登録第３１５５８５６号公報
【特許文献２】特開２００３−１９２２４０号公報
【発明の概要】
【発明が解決しようとする課題】
【０００９】
そこで、本発明は、一人であっても消防ホースの曲りや捩れを解消しながら当該消防ホースを巻き取ることができる、持ち運び可能な簡易な消防ホース巻機を提供することを目的とする。
【課題を解決するための手段】
【００１０】
本発明に係る消防ホース巻機は、回転軸の一端に固定ハンドルを一体化し、該回転軸との間に消防用ホースを挟持する巻取り軸を該回転軸と平行に立設した巻取り用ハンドル軸体と、上記回転軸を回転自在に支持する本体と、を備え、上記本体に支持させた上記巻取り用ハンドル軸体に消防用ホースを挟持させて、上記固定ハンドルを上記回転軸の回りに旋回させることにより、該消防用ホースを長手方向に巻き取る消防ホース巻機において、上記本体は、複数の鉛直フレームの上端に支持された天井部水平フレームを有し、上記回転軸の他端に補助ハンドルを装着し、上記本体の天井部水平フレームから、上記巻取り用ハンドル軸体の回転軸を水平に着脱自在な逆Ｕ字型の巻取り制御機を、水平方向に回動自在に懸吊した消防ホース巻機であって、上記固定ハンドルおよび上記補助ハンドルを旋回させて消防用ホースを長手方向に巻き取る際に、上記巻取り制御機を水平方向に回動させることにより、消防用ホースの捩れを解消し得ることを特徴とする。
【００１１】
なお、説明の便宜のため、以下本明細書及び特許請求の範囲、図面、要約書において、本発明に係る消防ホース巻機の使用者は、使用者の前方に消防ホース巻機を設置し、消防ホース巻機の前方長手方向に展張した消防ホースを巻き取るものとし、使用者を基準に、本発明の消防ホース巻機から手前側方向を「手前」と、その反対方向を「前方」と、また、「前方」に向かって左右方向を各々「左」、「右」と呼ぶものとする。
【００１２】
本発明に係る消防ホース巻機は、一端と他端を有する回転軸の該一端に、アームとこれに略直角な把持部とからなる固定ハンドルの該アームを、該回転軸と該把持部とが該アームを隔てて平行となるように固定し、該回転軸との間に消防用ホースを短手方向に挟持する巻取り軸を該回転軸に平行となるように併設した巻取り用ハンドル軸体と、上記巻取り用ハンドル軸体を回転自在に支持する本体と、を備え、上記本体に支持させた上記巻取り用ハンドル軸体に消防用ホースを挟持させて、該巻取り用ハンドル軸体の把持部を回転軸の回りに旋回させることにより、該消防用ホースを長手方向に巻き取る消防ホース巻機において、上記巻取り用ハンドル軸体は、上記回転軸の他端に、アームとこれに略直角な把持部とからなる補助ハンドルを、該把持部が該アームを隔てて該回転軸と平行となるように装着可能であり、上記本体は、４本の鉛直フレームの各上端を天井部水平フレームの手前端と前方端で２本ずつ左右対称に連結したフレーム本体であり、上記フレーム本体は、
平行な２枚の第１アーム板と第２アーム板を吊下げ支持板の両端から下方に突出させた逆Ｕ字型で、前記巻取り用ハンドル軸体の回転軸を着脱自在に嵌合するための切欠きを各々第１アーム板と第２アーム板に設けた巻取り制御機を、前記天井部水平フレームから、水平方向に回動自在に懸吊した消防ホース巻機であって、
前記固定ハンドルおよび前記回転軸の他端に装着した前記補助ハンドルを旋回させて消防用ホースを長手方向に手前から前方へ巻き取る際に、前記巻取り制御機を水平方向に回動させることにより、消防用ホースの捩れを解消し得ることを特徴とする。
【００１３】
本発明に係る消防ホース巻機は、上記フレーム本体は、２本の鉛直フレームの上端を上端部横フレームで連結させた２つの同形のフレーム枠Ｌ、フレーム枠Ｒ（以下、「フレーム枠Ｌ、Ｒ」のようにも記載する）を、それぞれの上端部横フレームＬ、Ｒの手前側と前方側に蝶番を取り付けて回動可能に連結させ、上記天井部水平フレームを上記上端部横フレームＬ、Ｒ及び上記蝶番により構成して、フレーム枠Ｌ、Ｒを左右方向に開閉可能とした。
【００１４】
本発明に係る消防ホース巻機は、上記連結フレーム本体の２つの同形のフレーム枠Ｌ、Ｒにおいて、手前側と前方側のそれぞれ２本の鉛直フレームの下方を下方横フレームとで連結させた。
【００１５】
本発明に係る消防ホース巻機は、上記下方横フレームは上記鉛直フレームに着脱可能である。
【００１６】
本発明に係る消防ホース巻機は、上記鉛直フレームの下端に車輪を設け、前方に進行しながら消防用ホースを長手方向に巻き取り得る。
【００１７】
本発明に係る消防ホース巻機は、前記巻取り制御機に、前記巻取り用ハンドル軸体の回転軸を嵌合させるための切欠きを設けた。
【００１８】
本発明に係る消防ホース巻機において、前記補助ハンドルは、前記巻取り用ハンドル軸体の前記回転軸の他端に、着脱自在に装着し得る。
【００１９】
本発明に係る消防ホース巻機において、前記補助ハンドルは、前記巻取り用ハンドル軸体の前記回転軸の他端に、伸縮自在に接続してもよい。
【００２０】
本発明に係る消防ホースの巻取り方法は、
（ステップ１）消防ホース巻機１を準備するステップと、
（ステップ２）巻取り用ハンドル軸体２０に、展張した消防用ホース１００を短手方向に挟持させるステップと、
（ステップ３）上記展張した消防用ホース１００の長手方向を前方方向にして、前方の２本の鉛直フレーム５４Ｌ、５４Ｒ間に該消防用ホースが位置されるようにフレーム本体５０を配置するステップと、
（ステップ４）上記展張した消防用ホース１００に捩れがなければ、固定ハンドル３０および補助ハンドル４０を同方向に旋回させて、巻取り用ハンドル軸体２０の周りに消防用ホース１００を長手方向に巻き取るステップと、
（ステップ５）上記展張した消防用ホース１００が左又は右に１８０度の捩れが有れば、巻取り制御機１０を右又は左方向に水平に１８０度回動させるステップと、
（ステップ６）ステップ４の巻き取るステップとステップ５の回動させるステップを繰り返して、上記展張した消防用ホース１００を巻取り用ハンドル軸体２０の周りに巻き取るステップと、
（ステップ７）巻取り用ハンドル軸体２０の他端２２２から、補助ハンドル４０を取外すステップと、
（ステップ８）巻取り用ハンドル軸体２０から巻き上げた消防用ホース１００を取外すステップと、
を含む。
【発明の効果】
【００２１】
本発明に係る消防ホース巻機は、巻取り制御機を水平方向に回転させることにより、消防ホースの曲りや捩れを取り除きながら消防ホースを巻き取ることができる。消火現場のような複雑な環境、地形、作業条件等の厳しい条件の中では、消防ホースは複雑に捩れたり曲がったりしているが、本発明の消防ホース巻機を用いれば、１人でも容易に消防ホースを巻き取ることができる。
【００２２】
例えば、消火直後に消防用ホースが左右に曲がりくねって展張していても、本発明に係る消防ホース巻機を用いれば、逆Ｕ字型の巻取り制御機を左右に回動させることにより、消防用ホースを綺麗な環状に巻き取ることができる。また、巻取り作業に伴い、消防用ホース内に残存している水を排水することもできる。
【００２３】
また、消防用ホースが左右に捩れて展張していても、本発明に係る消防ホース巻機を用いれば、逆Ｕ字型の巻取り制御機を左右に１８０度回動させることにより、それぞれ右１８０度捩れと左１８０度捩れを解消することができる。言い換えれば、巻取り制御機を左右に１８０度回動させれば、左右へ捩れて裏返った消防用ホースであっても、裏返りを解消して巻き取ることができる。さらに、消防用ホースが複雑に左右に回転するように捩れて展張していても、逆Ｕ字型の巻取り制御機を適宜左右に３６０度回動させることにより、これらの回転捩れを順次解消して消防ホースを正常に環状に巻き取ることができる。
【００２４】
本発明の消防ホース巻機を用いた巻き取りは、巻取り用ハンドル軸体の回転軸と巻取り軸との間に消防用ホースを挟持して、固定ハンドルおよび補助ハンドルを回転軸の回りに旋回させることにより行う。この消防用ホースの巻き取り方は、いわゆる一重巻・二重巻どちらでも対応することができる。
【００２５】
すなわち、消防用ホースを一重巻に巻き取る場合は、回転軸と巻取り軸との間に消防用ホースを短手方向（幅方向）に挟持し、消防用ホースの端に取付けられた継手を回転軸と巻取り軸に引掛けることにより、消防用ホースを一重巻に巻き取ることができる。巻取り軸に掛ける継手は、雄継手でも雌継手であってもよい。
【００２６】
また、消防用ホースを二重巻に巻き取る場合は、消防用ホースを半分に折り曲げて、その折り目を巻取り軸に掛けるようにして回転軸と巻取り軸との間に消防用ホースを挟持し、ハンドルを旋回させて消防用ホースを二重巻に巻き取ることができる。
【００２７】
また、フレーム本体の鉛直フレームの下端に車輪を取り付けることにより、自由に移動させることができるため、前方に展張した消防用ホースの方向に前進させながら、より迅速に消防用ホースを巻き取ることが可能である。
【００２８】
巻取り終えた消防用ホースは、巻取り用ハンドル軸体の他端から補助ハンドルを取外し、続いて巻取り用ハンドル軸体から巻き上げた消防用ホースを取外すことにより、環状に巻き上がった状態で本発明の消防ホース巻機から容易に離脱させることができる。
【００２９】
発明に係る消防ホース巻機は、本体から逆Ｕ字型の巻取り制御機を取り外して分解し、本体を折り畳んでコンパクト化することができ、消防車等の狭い空間に容易に収納することができる。
【図面の簡単な説明】
【００３０】
【図１】本発明に係る消防ホース巻機の斜視図。
【図２】本発明に係る消防ホース巻機の平面図。
【図３】本発明に係る消防ホース巻機の消防ホースの巻取り方法を示す側面拡大図。
【図４】本発明に係る消防ホース巻機の巻取り用ハンドル軸体部分の正面拡大図。
【図５】（ａ）（ｂ）本発明に係る消防ホース巻機の巻取り用ハンドル軸体の分解図、（ｃ）本発明に係る消防ホース巻機の巻取り用ハンドル軸体の状態遷移図。
【図６】本発明に係る消防ホース巻機の逆Ｕ字型の巻取り制御機と巻取り用ハンドル軸体の組立図。
【図７】右捩れ消防ホースの巻取り方法を示す、本発明に係る消防ホースの逆Ｕ字型の巻取り制御機の平面模式図であり、それぞれ左図から右図へ、（ａ）前方右側からの右捩れ消防ホースの場合、（ｂ）前方右側からの右捩れ消防ホースの場合、における本発明に係る消防ホースの巻取り方法を示す状態遷移図。
【図８】左捩れ消防ホースの巻取り方法を示す、本発明に係る消防ホースの逆Ｕ字型の巻取り制御機の平面模式図であり、それぞれ左図から右図へ、（ａ）前方左側からの左捩れ消防ホースの場合、（ｂ）前方左側からの左捩れ消防ホースの場合、における本発明に係る消防ホースの巻取り方法を示す状態遷移図。
【図９】捩れて回転が生じた（左捩れ一回転）消防ホースの巻取り方法を示す、本発明に係る消防ホースの逆Ｕ字型の巻取り制御機の平面模式図であり、左図から右図へ、本発明に係る消防ホースの巻取り方法を示す状態遷移図。
【発明を実施するための形態】
【００３１】
以下、図面を参照しながら本発明に係る消防ホース巻機の実施形態について説明する。なお、以下各図面を通して同一の構成要素には同一の符号を使用するものとする。
１．本発明に係る消防ホース巻機の構成
【００３２】
図１に示す本発明に係る消防ホース巻機１は、図５に示すように回転軸２２の一端に固定ハンドル３０を一体化し、回転軸２２との間に消防用ホース１００を挟持する巻取り軸２４を、回転軸２２と平行に立設した巻取り用ハンドル軸体２０と、回転軸２２を回転自在に支持する本体５０（図１参照）と、を備え、図１のように本体５０に支持させた巻取り用ハンドル軸体２０に消防用ホース１００を挟持させて、固定ハンドル３０を回転軸２２の回りに旋回させることにより（図４参照）、消防用ホース１００を長手方向に巻き取る消防ホース巻機１である（図３参照）。
【００３３】
上述のように、本発明に係る消防ホース巻機１の使用者は、使用者の前方に消防ホース巻機１を設置し、消防ホース巻機１の前方に、略長手方向に展張した消防ホース１００を巻き取るものとし、使用者を基準に、消防ホース巻機１から手前側方向を「手前」と、その反対の消防ホース１００が展張する方向を「前方」と、また、使用者が「前方」に向かって左右の方向を各々「左」、「右」と呼ぶ。
【００３４】
図１に示す本発明の消防ホース巻機１において、本体５０は、複数の鉛直フレーム５２（５２Ｌ、５２Ｒ）、５４（５４Ｌ、５４Ｒ）の上端に支持された天井部水平フレーム６０を有する。そして、回転軸２２の他端２２２に、例えば図５（ａ）や図５（ｂ）のように、着脱可能な補助ハンドル４０（図４参照）を装着し、本体５０の天井部水平フレーム６０から、巻取り用ハンドル軸体２０の回転軸２２を水平に着脱自在な逆Ｕ字型の巻取り制御機１０を、水平方向に回動自在に懸吊する。
【００３５】
本発明の消防ホース巻機１は、図３のように固定ハンドル２０および補助ハンドル４０を旋回させて消防用ホース１００を長手方向に巻き取る際に、図２に示すように巻取り制御機１０を水平方向に回動させることにより、下記の実施例で説明するように、消防用ホース１００の捩れを解消し得ることを特徴とする。
【００３６】
以下、本発明の消防ホース巻機１の構成について、さらに詳しく説明する。
【００３７】
本発明の消防ホース巻機１において、巻取り用ハンドル軸体２０は図６下方に示すように、一端２２１と他端２２２を有する回転軸２２の一端２２１に、アーム３４とこれに略直角な把持部３２とからなる固定ハンドル３０のアーム３４を、回転軸２２と把持部３２とがアーム３４を隔てて平行となるように固定し、回転軸２２との間に消防用ホースを短手方向（幅方向）に挟持する巻取り軸２４を回転軸２２に平行となるように併設する。固定ハンドル３０のアーム３４は、回転軸２２の一端２２１に溶接などで固定してもよいが、固定ハンドル３０と回転軸２２とを一体成型してもよい。
【００３８】
また、図４や図５（ａ）に示すように、巻取り用ハンドル軸体２０は、回転軸２２の他端２２２に、アーム４４とこれに略直角な把持部４２とからなる補助ハンドル４０を、当該把持部４２が当該アーム４４を隔てて回転軸２２と平行となるように装着する。
【００３９】
上記図５（ａ）のように、補助ハンドル４０は、例えば他端２２２に設けた螺子穴に、補助ハンドル４０のアーム４４に開口した接続口４６を貫通させた接続螺子４８を螺合させたり、あるいは図５（ｂ）のように、他端２２２の凸部にアーム４４の凹部を嵌合させて着脱自在に装着する。あるいは、補助ハンドル４０は、図５（ｃ）のように、回転軸２２の他端２２２に伸縮自在に接続してもよく、巻取り用ハンドル軸体２０の回りに巻き上げた消防ホース１００を、他端２２２側から取り外せる機構であれば、補助ハンドル４０の構成や装着方法は限定されない。
【００４０】
このような巻取り用ハンドル軸体２０を回転自在に支持する本体５０は、例えば図１のような、４本の鉛直フレーム５２Ｌ、５２Ｒ、５４Ｌ、５４Ｒの各上端を、天井部水平フレーム６０の手前端と前方端で２本ずつ左右対称に連結したフレーム本体５０である。消防ホースを巻き取る際は、前方の鉛直フレーム５４Ｌ、５４Ｒ間に消防ホースを挟み、消防ホースが前方に長手方向に展張するように、消防ホース巻機１の配置を調整するのが好ましい。
【００４１】
図１においてフレーム本体５０は、２本の鉛直フレーム５２Ｌ、５４Ｌの上端を上端部横フレーム６０Ｌで連結させたフレーム枠５０Ｌと、これと同形の本の鉛直フレーム５２Ｒ、５４Ｒの上端を上端部横フレーム６０Ｒで連結させたフレーム枠５０Ｒ（以下、「フレーム枠５０Ｌ、５０Ｒ」のようにも記載する）から構成されている。
【００４２】
すなわち、図１に示すフレーム本体５０は、それぞれのフレーム枠５０Ｌ、５０Ｒの上端部横フレーム６０Ｌ、６０Ｒの手前側と前方側に蝶番５６、５７を取り付けて、フレーム枠５０Ｌ、５０Ｒとを回動可能に連結させ、天井部水平フレーム６０を上端部横フレーム６０Ｌ、６０Ｒ及び蝶番５６、５７により構成して、フレーム枠５０Ｌと５０Ｒを左右方向に開閉可能とした。これにより、フレーム本体５０をコンパクトに畳んで、消防車両の狭い隙間にでも収納することが可能になる。
【００４３】
このようなフレーム本体５０は、上記のように、天井部水平フレーム６０から、図６に示す巻取り用ハンドル軸体２０の回転軸２２を水平に着脱自在な逆Ｕ字型の巻取り制御機１０を、水平方向に回動自在に懸吊する。例えば、図１のように、吊下げ支持板１６の下側から、下端に抑え部があるボルト１９を貫通させ、これを上端部横フレーム６０Ｌと上端部横フレーム６０Ｒ間を通して、ボルト１９の先端に設けた螺子にナット１８を螺合させる。上端部横フレーム６０Ｌと上端部横フレーム６０Ｒ上に載置した金属板に、上記螺合によりナット１８を固定することができる。そして、逆Ｕ字型の巻取り制御機１０の吊下げ支持板１６は、ボルト１９の下端に設けた抑え部により支持され、吊下げ支持板１６をフレーム本体５０に対して水平方向に回動自由にすることができる。このように、巻取り制御機１０を水平方向に回動自在に天井部水平フレーム６０から懸吊することができるが、その懸吊方法は上記実施例に限定されず、巻取り制御機１０を天井部水平フレーム６０から水平方向に回動自由に懸吊できるあらゆる公知の懸吊方法を選択可能である。
【００４４】
なお、連結フレーム本体の２つの同形のフレーム枠Ｌ、Ｒにおいて、手前側と前方側のそれぞれ２本の鉛直フレーム５２Ｌ、Ｒ間と５４Ｌ、Ｒ間を、それぞれ下方横フレーム５８、５９で連結させ、連結フレーム本体の安定を図ってもよい。なお、コンパクト化を可能とするため、下方横フレーム５８、５９は、鉛直フレーム５２Ｌ、Ｒ間と５４Ｌ、Ｒ間に着脱可能とするのが好ましい。
【００４５】
さらに、鉛直フレーム５２Ｌ、Ｒ、及び鉛直フレーム５４Ｌ、Ｒの下端にそれぞれ車輪を設け、消防ホース巻機１を前方に進行しながら消防用ホースを長手方向に巻き取るようにしてもよい。このように、フレーム本体５０の鉛直フレーム５２Ｌ、Ｒ、及び５４Ｌ、Ｒの下端に車輪を取り付けることにより、消防ホース巻機１を自由に移動させることができるため、前方に展張させた消防用ホース１００の方向にフレーム本体５０を前進させながら、より迅速に消防用ホース１００を巻き取ることが可能となる。
【００４６】
上記巻取り制御機１０は、図６に示すように、平行な２枚の第１アーム板１２と第２アーム板１４を吊下げ支持板１６の両端から下方に突出させた逆Ｕ字型である。第１アーム板１２と第２アーム板１４は、巻取り用ハンドル軸体２０の回転軸２２を水平方向に着脱自在に嵌合するための切欠き１２１、１４１を設けている。
【００４７】
回転軸２２を、第１アーム板１２と第２アーム板１４に設けた切欠き１２１、１４１に嵌合させたときに、巻取り用ハンドル軸体２０が回転作業中に左右にぶれないように、回転軸２２の両端２２１と２２２付近に、第１アーム板１２と第２アーム板１４間の幅に合わせたブレ抑止板２３１、２３２を設けるのが好ましい。
【００４８】
本発明の消防ホース巻機１は、図１のように、巻取り制御機１０を天井部水平フレーム６０から水平方向に回動自在に懸吊し、巻取り用ハンドル軸体１０の回転軸２２と巻取り軸２４との間に消防用ホース１００を挟持させる。
【００４９】
このようにして、本発明の消防ホース巻機１は、巻取り用ハンドル軸体２０の把持部３２、４２（図５参照）を回転軸２２の回りに旋回させることにより、消防用ホース１００を長手方向に巻き取る際に、図２に示すように巻取り制御機１０を水平方向に回動させることにより（図１、図３参照）、消防用ホース１００の捩れを解消し得ることを特徴とする。
【００５０】
以下、本発明に係る消防ホース巻機１を用いて、如何に消防用ホース１００の捩れを解消し、これを迅速かつスムーズに環状に巻き上げることができるか、消防ホース巻機１の使用方法について説明する。
２．本発明に係る消防ホース巻機の使用方法
【００５１】
次に、本発明に係る消防ホース巻機１を使用して、展張した消防ホース１００を環状に巻き取る方法について説明する。
【００５２】
本発明に係る消防ホースの巻取り方法は、
（ステップ１）消防ホース巻機１を準備するステップと、
（ステップ２）巻取り用ハンドル軸体２０に、展張した消防用ホース１００を短手方向に挟持させるステップと、
（ステップ３）上記展張した消防用ホース１００の長手方向を前方方向にして、前方の２本の鉛直フレーム５４Ｌ、５４Ｒ間に該消防用ホースが位置されるようにフレーム本体５０を配置するステップと、
（ステップ４）上記展張した消防用ホース１００に捩れがなければ、固定ハンドル３０および補助ハンドル４０を同方向に旋回させて、巻取り用ハンドル軸体２０の周りに消防用ホース１００を長手方向に巻き取るステップと、
（ステップ５）上記展張した消防用ホース１００が左又は右に１８０度の捩れが有れば、巻取り制御機１０を右又は左方向に水平に１８０度回動させるステップと、
（ステップ６）ステップ４の巻き取るステップとステップ５の回動させるステップを繰り返して、上記展張した消防用ホース１００を巻取り用ハンドル軸体２０の周りに巻き取るステップと、
（ステップ７）巻取り用ハンドル軸体２０の他端２２２から、補助ハンドル４０を取外すステップと、
（ステップ８）巻取り用ハンドル軸体２０から巻き上げた消防用ホース１００を取外すステップと、
を含む。
【００５３】
以下、本発明に係る消防ホース巻機１を使用して、展張した消防ホース１００を環状に巻き取る方法を、実施例を用いて説明する。以下の実施例において、展張した消防用ホース１００の長手方向を前方方向にして、前方の２本の鉛直フレーム５４Ｌ、５４Ｒ間に該消防用ホースが位置されるようにフレーム本体５０を配置しており、固定ハンドル３０および補助ハンドル４０を同方向に旋回させて、巻取り用ハンドル軸体２０の周りに消防用ホース１００を長手方向に巻き取るものとする。なお、以下に用いる図７（ａ）、（ｂ）、および図８（ａ）、（ｂ）においては、それぞれ左側の図が巻取り制御機１０を回動する前の始状態（消防用ホース１００が１８０度捩れている状態）、右側の図が巻取り制御機１０を回動した後の終状態（消防用ホース１００の１８０度捩れが解消した状態）を表し、始状態において、消防用ホース１００の表側を上にして巻取り用ハンドル軸体２０の周りに巻き取っているものとする。
【実施例１】
【００５４】
右捩れの解消方法１
図７（ａ）左図（始状態）において、消防用ホース１００は、前方右端から右捩れを生じて、前方左方で裏返し状態になっている。この右捩れを解消するために、巻取り制御機１０を１８０度左回転すると右捩れは解消し、消防用ホース１００の裏側が前方に直線状に展張する（終状態；図７（ａ）右図）。巻取り制御機１０の１８０度左回転により、固定ハンドル３０の補助ハンドル４０の位置は左右反転し、始状態と反対方向に固定ハンドル３０の補助ハンドル４０を回転軸２２の回りに旋回させて消防用ホース１００を巻き取っていくことができる。
【実施例２】
【００５５】
右捩れの解消方法２
図７（ｂ）左図（始状態）においては、消防用ホース１００は、実施例１とは反対に前方左端から右捩れを生じて、前方右方で裏返し状態になっている。この右捩れを解消するためには、実施例１と同様に、巻取り制御機１０を１８０度左回転すると右捩れは解消し、消防用ホース１００の裏側が前方に直線状に展張する（終状態；図７（ｂ）右図）。実施例１と同様に、巻取り制御機１０の１８０度左回転により固定ハンドル３０の補助ハンドル４０の位置は左右反転し、始状態と反対方向に固定ハンドル３０の補助ハンドル４０を回転軸２２の回りに旋回させて消防用ホース１００を巻き取っていくことができる。
【実施例３】
【００５６】
左捩れの解消方法１
図８（ａ）左図（始状態）において、消防用ホース１００は、前方左端から左捩れを生じて、前方右方で裏返し状態になっている。この左捩れを解消するために、巻取り制御機１０を１８０度右回転すると左捩れは解消し、消防用ホース１００の裏側が前方に直線状に展張する（終状態；図８（ａ）右図）。巻取り制御機１０の１８０度右回転により、固定ハンドル３０の補助ハンドル４０の位置は左右反転し、始状態と反対方向に固定ハンドル３０の補助ハンドル４０を回転軸２２の回りに旋回させて消防用ホース１００を巻き取っていくことができる。
【実施例４】
【００５７】
左捩れの解消方法２
図８（ｂ）左図（始状態）においては、消防用ホース１００は、実施例３とは反対に前方右端から左捩れを生じて、前方左方で裏返し状態になっている。この左捩れを解消するためには、実施例３と同様に、巻取り制御機１０を１８０度右回転すると左捩れは解消し、消防用ホース１００の裏側が前方に直線状に展張する（終状態；図８（ｂ）右図）。実施例３と同様に、巻取り制御機１０の１８０度右回転により固定ハンドル３０の補助ハンドル４０の位置は左右反転し、始状態と反対方向に固定ハンドル３０の補助ハンドル４０を回転軸２２の回りに旋回させて消防用ホース１００を巻き取っていくことができる。
【実施例５】
【００５８】
回転の解消方法
図９左図（始状態）においては、消防用ホース１００は、実施例４と同様に前方右端から左捩れを生じて前方左方で裏返し状態になり、更に消防用ホース１００に沿って前方で、実施例３と同様に前方左端から左捩れを生じて前方右方で表返し状態になっている。したがって、この消防用ホース１００は、消防ホース巻機１の前方で、左捩れで一回転している状態である。この左捩れを解消するためには、実施例４及び実施例３の手順を連続して行えばよい。
【００５９】
すなわち、まず、実施例４と同様に巻取り制御機１０を１８０度右回転すると左１８０度捩れは解消し、更に実施例３と同様に巻取り制御機１０を１８０度右回転すると次の左１８０度捩れは解消し、消防用ホース１００の裏側が前方に直線状に展張する（終状態；図９右図）。したがって、消防用ホース１００が左捩れで一回転している状態は、巻取り制御機１０を３６０度右回転することにより、即ち、巻取り制御機１０を右方向に一回転することにより解消することができる。
【００６０】
同じように、消防用ホース１００が右捩れで一回転している状態は、巻取り制御機１０を左方向に一回転することにより解消することができる。
【００６１】
以上のように、実施例１〜４に記載した巻取り制御機１０の左右１８０度の回動の手順により、消防用ホース１００の左右１８０度の捩れ、いわゆる「裏返し」（又は「表返し」）は、全て解消することができる。また、消防用ホース１００が回転している状態は、上記のような所謂「裏返し」（又は「表返し」）が連続した状態であるので、実施例５で示したように、やはり実施例１〜４に記載した巻取り制御機１０の左右１８０度の回動の手順の組み合わせにより解消することができる。
【００６２】
以上より、上記本発明に係る消防ホースの巻取り方法を用いれば、火災現場で消火直後の複雑に捩れたり曲がったりした消防ホースであっても、一人で消防ホース巻機１を使用して、消防ホースを容易に環状に巻き取ることができる。
【００６３】
以上、本発明に係る消防ホース巻機、及びその使用方法について実施形態、実施例を用いて説明したが、本発明に係る消防ホース巻機は上記実施形態等に限定されるものではない。上記実施形態では、フレーム本体をフレーム枠を回動可能に蝶番で連結させて開閉可能としたが、搭載車両の必要に応じて、その形状、構造を適宜変化させて良い。
【００６４】
また、本発明に係る消防ホース巻機は、鉄などの金属を材料として用いるが、その材質は燃えにくければ特に限定されず、必要に応じてその材質は適宜選択することができる。さらに、本発明の消防ホース巻機は、市販の素材を有効に使用して構成できるため、どのような修理にも容易に対応することができる。
【００６５】
さらに、本発明に係る消防ホース巻機において、巻取り制御機の第１アーム板と第２アーム板間の幅を調整可能とすることにより、様々な幅の一般的に使用される消防ホース全てに対応することができ、これを環状に巻き取ることができる。
【００６６】
その他、本発明は、その主旨を逸脱しない範囲で当業者の知識に基づき種々の改良、修正、変更を加えた態様で実施できるものである。
【産業上の利用可能性】
【００６７】
本発明に係る消防ホース巻機は、消防車等に搭載され、災害現場等で放水を伴い利用される。消防団の消火練習の際に利用することもできる。複雑な地形・環境・作業条件等の厳しい現場でも、本発明に係る消防ホース巻機を用いて、消防ホースを容易に巻き取ることができる。
【符号の説明】
【００６８】
１： 本発明に係る消防ホース巻機
１０：（逆Ｕ字型）巻取り制御機
１２、１４：第１アーム板、第２アーム板
１６：吊下げ支持板
１８：ナット
１９：ボルト
１２１、１４１：(第１、第２)切欠き
２０：巻取り用ハンドル軸体
２２：回転軸
２２１、２２２：一端、他端
２３１、２３２：ブレ抑止板
２４：巻取り軸
３０：固定ハンドル
３２、４２：把持部
３４、４４：アーム
４０：補助ハンドル
４６：接続口
４８：接続螺子
５０：本体（フレーム本体）
５０Ｌ、５０Ｒ：（左右）フレーム枠
５２（５２Ｌ、５２Ｒ）：（左右）手前鉛直フレーム
５４（５４Ｌ、５４Ｒ）：（左右）前方鉛直フレーム
５６：手前蝶番
５７：前方蝶番
５８：手前下方横フレーム
５９：前方下方横フレーム
６０：天井部水平フレーム
６０Ｌ、６０Ｒ：左上端部横フレーム、右上端部横フレーム
１００：消防ホース
【図１】
0006546402.tif 000002
【図２】
0006546402.tif 000003
【図３】
0006546402.tif 000004
【図４】
0006546402.tif 000005
【図５】
0006546402.tif 000006
【図６】
0006546402.tif 000007
【図７】
0006546402.tif 000008
【図８】
0006546402.tif 000009
【図９】
0006546402.tif 000010